(57)【要約】      （修正有）【課題】炭化室内にスムーズに装入することができ、かつ、内部に入る作業者の作業スペースを十分に確保することができる炉壁れんが積替え・補修装置を提供する。【解決手段】コークス炉炭化室内への装入、引出が可能なループ状足場メインフレーム１と、その足場メインフレームの前端部に取付けられた短冊状防熱板２と、そしてその後端部に取付けられた梯子状の後部フレーム３とからなり、かつ足場メインフレームには、その長手方向に沿って配設される短冊状の床板４を、高さ方向に対し、複数段に亘って回転可能に軸支した。【選択図】図１
2008101109.tif 000002
【特許請求の範囲】
【請求項１】
コークス炉炭化室内の炉壁れんがの積替え・補修を行うための装置であって、該炭化室内への装入、引出が可能なループ状足場メインフレームと、その足場メインフレームの前端部に取付けられた短冊状防熱板およびその後端部に取付けられた梯子状の後部フレームとからなり、かつ前記足場メインフレームには、その長手方向に沿って配設される短冊状の床板を、高さ方向に、複数段、回転可能に軸支したことを特徴とするコークス炉炭化室内の炉壁れんが積替え・補修装置。
【請求項２】
前記足場メインフレームは、パイプを炭化室の形状および大きさに合わせて方形に屈曲形成したループ状のものであることを特徴とする請求項１に記載のコークス炉炭化室内の炉壁れんが積替え・補修装置。
【請求項３】
前記足場メインフレームの下端部には、一以上のスライダーを備えることを特徴とする請求項１または２に記載のコークス炉炭化室内の炉壁れんが積替え・補修装置。
【請求項４】
前記放熱板は、足場メインフレームの前端部に、装入、引出モードのときは該フレームと平行に、そして作業モードのときは該フレームとは直交して炭化室内の熱を遮蔽する向きに転向するように取付けられていることを特徴とする請求項１〜３のいずれかに記載のコークス炉炭化室内の炉壁れんが積替え・補修装置。
【請求項５】
前記後部フレームは、高さ方向の床板配設レベルの位置にそれぞれ該床板固定板を設けたことを特徴とする請求項１〜４のいずれかに記載のコークス炉炭化室内の炉壁れんが積替え・補修装置。
【請求項６】
前記床板固定板は、床板を軸支すると共に、この床板の回転停止位置をボルトを介して固定するための一対のピン孔を有することを特徴とする請求項１〜５のいずれかに記載のコークス炉炭化室内の炉壁れんが積替え・補修装置。
【請求項７】
前記床板は、足場メインフレームの前端部と後部フレームとの間に懸け渡すように配設されたものであることを特徴とする請求項１〜６のいずれかに記載のコークス炉炭化室内の炉壁れんが積替え・補修装置。
【請求項８】
前記床板は、装入、引出モードのとき直立姿勢を維持するように回転し、作業モードのときは水平姿勢を維持して足場を形造るように回転するものであることを特徴とする請求項１〜７のいずれかに記載のコークス炉炭化室内の炉壁れんが積替え・補修装置。
【請求項９】
前記床板は、簀子状であることを特徴とする請求項１〜７のいずれかに記載のコークス炉炭化室内の炉壁れんが積替え・補修装置。
【請求項１０】
該炉壁れんが積替え・補修装置は、炭化室前に、移動可能に配設された案内装置を介して炭化室内に送り込まれ、または炭化室から引出されるものであることを特徴とする請求項１〜９のいずれかに記載のコークス炉炭化室内の炉壁れんが積替え・補修装置。
【発明の詳細な説明】
【技術分野】
【０００１】
本発明は、コークス炉炭化室の炉壁補修、とくに炉壁れんがの積替えや部分補修を行うにあたり、炭化室内に作業者と共に送り込んで炉壁の補修を行うためのコークス炉炭化室内の炉壁れんが積替え・補修装置に関する。
【背景技術】
【０００２】
従来、コークス炉炭化室の炉壁補修は、コークス炉の操業を停止して行うか、炭化室上部の装炭口からキャスタブル注入パイプを挿入して補修部を溶射することによって行っていた。しかしながら、コークス炉の操業を停止することは熱量損失が大きいのみならず、準備作業および操業再開までの作業が煩雑であり、一方、キャスタブルを溶射することは簡単な補修には対応できるものの、炉壁の大きな欠損を完全に補修することはできない。
【０００３】
これに対し、特許文献１には、コークス炉炭化室の炉壁補修装置として、熱間補修工事用断熱性のボックス構造のものが開示されている。この技術は、炭化室内にその断熱ボックスを挿入し、挿入した断熱ボックス内に作業者が入って補修を行うことで、熱間状態で補修を行う装置である。ただし、この技術は、炭化室両側の炉壁間隔より狭い幅の底面と天井面とを断熱ボックスが、冷却水管にて形成され、かつ、その外側に断熱ボードを着脱自在に貼設してボックス構造としたものである。
【特許文献１】特開平８−８１６８１号公報
【発明の開示】
【発明が解決しようとする課題】
【０００４】
しかしながら、コークス炉の炭化室の炉壁幅は、４００ｍｍ程度以下と非常に狭く、前記断熱ボックス内に作業者が入ったときに、十分に断熱ができるようにするために、この炉壁補修装置の外壁（断熱ボード）を炭化室の炉幅ぎりぎりまで大きくしたとしてもなお狭いのが実情である。
【０００５】
しかも、コークス炉炭化室の炉壁は、コークス炉の操業によって凹凸が生じており、平坦ではない。また、炭化室の壁面には、各種の付着物もある。そのため、炉壁補修装置を炉壁幅ぎりぎりの幅とすると、炉壁補修装置が炉壁にひっかかり、炭化室内にこの炉壁補修装置をスムーズに挿入することができないという問題があった。
【０００６】
そこで本発明は、炭化室内にスムーズに装入することができ、かつ、内部に入る作業者の作業スペースをも十分に確保することができる炉壁れんが積替え・補修装置の新規な構造を提案することを目的とする。
【課題を解決するための手段】
【０００７】
上記目的の実現に向けて鋭意検討を重ねた結果、発明者らは、炉壁れんがの積替え時あるいはれんが壁の部分補修に威力を発揮する装置として、防熱板で囲むボックス構造のものではなく、装入前面を除くその他を解放型にしたものとすることにより、従来装置の上述した欠点を克服できることを見い出し、本発明を完成させた。
【０００８】
即ち、本発明は、コークス炉炭化室内の炉壁れんがの積替え・補修を行うための装置であって、該炭化室内への装入、引出が可能なループ状足場メインフレームと、その足場メインフレームの前端部に取付けられた短冊状防熱板およびその後端部に取付けられた梯子状の後部フレームとからなり、かつ前記足場メインフレームには、その長手方向に沿って配設される短冊状の床板を、高さ方向に、複数段、回転可能に軸支したことを特徴とするコークス炉炭化室内の炉壁れんが積替え・補修装置である。
【０００９】
また、本発明に係る装置は、下記のような構成にすることが好ましい解決手段を提供できる。
（１）前記足場メインフレームは、パイプを炭化室の形状および大きさに合わせて方形に屈曲形成してループ状としたものであること、
（２）前記足場メインフレームの下端部には、一以上の複数個のスライダーを備えること、
（３）前記放熱板は、足場メインフレームの前端部に、装入、引出モードのときは該フレームと平行に、そして作業モードのときは該フレームとは直交して炭化室内の熱を遮蔽する向きに転向可能に取付けられていること、
（４）前記後部フレームは、高さ方向の床板配設レベルの位置にそれぞれ該床板固定板を設けたこと、
（５）前記床板固定板は、床板を軸支すると共に、この床板の回転停止位置をボルトを介して固定するための一対のピン孔を有すること、
（６）前記床板は、足場メインフレームの前端部と後部フレームとの間に懸け渡すように配設されたものであること、
（７）前記床板は、装入、引出モードのとき直立姿勢を維持するように回転し、作業モードのときは水平姿勢を維持して足場を形造るように回転するものであること、
（８）前記床板は、簀子状であること、
（９）該炉壁れんが積替え・補修装置は、炭化室前に、移動可能に配設された案内装置を介して炭化室内に送り込まれ、または炭化室から引出されるものであること、
【発明の効果】
【００１０】
本発明のコークス炉炭化室内の炉壁れんが積替え・補修装置は、上記のような構成にしたことによって、炭化室内への装入時に炉壁にひっかかると言うようなトラブルを解消することができ、それでも内部に入る作業者の作業スペースも十分に確保することができるようになる。その結果、炉壁補修の作業効率を大幅に向上させることができる。
【００１１】
また、本発明によれば、この装置の主要部をボックス構造ではなく解放形にしているので、構造が頗る簡単、軽量で、製作コストの点でも有利であり、とりわけ、炉壁れんがの積替えや、炭化室入側近くにある炉壁れんがの部分補修に効果的である。
【００１２】
また、本発明によれば、従来のように側壁をもたない解放構造なので、炉壁の広範囲を一挙に積替え、補修をすることができるようになる他、床板形状（簀子状）と併せて、除去れんが屑の処理が容易である。
【００１３】
また、本発明によれば、床板や防熱板を可動式として装置の装入、引出しの邪魔にならないようにすると共に、足場メインフレームの下部にはスライダーを備えているので、該装置の炭化室内の装入、引出作業が一層簡単になる。
【発明を実施するための最良の形態】
【００１４】
図１〜４は、この発明の好適実施形態の一例を示すものであり、その特徴は、基本的な構成が足場メインフレームを中心とした解放形になっている点にある。それは、炉壁れんががある程度、冷却された状態になった作業が主となる積替え作業であったり、放熱の著しい炭化室の入側近くを補修する場合において、いわゆる前面の防熱板の役割だけでも作業が十分に可能な範囲での部分補修をするようなとき、あるいは補修個所が広範囲に亘るような場合に、有効な装置を提供する。
【００１５】
図示例において、１は角形もしくは丸形の鋼パイプを好適例として、これを炭化室Ｒ形状およびそのの大きさに合わせて略方形に屈曲形成したループ状の足場メインフレームである。このフレームが、本発明に係る装置の骨格をなす部分である。
【００１６】
この足場フレーム１の装入側前面に当たる前端部には、略炭化室Ｒの横幅より若干小さい幅にした短冊状の防熱板２が転向可能、即ち装入時ならび作業時のように遮熱が必要なときは、図１、図２に示すように進行方向（装入方向）に直交する向きに、一方、遮熱が必要ないときは、図４（ｂ）に示すように進行方向と平行となる向きになるように、取付けられている。
【００１７】
一方、この足場フレーム１の後端部には、炭化室Ｒの横幅に略等しいが若干大きい幅にした梯子状の後部フレーム３が固定されている。そして、この後部フレーム３には、後述する床板４の配設レベルの位置に、この床板４を軸支して支持すると共に、その向き（姿勢）を固定するための床板固定板３ａが設けられている。従って、この床板固定板３ａは、足場フレーム１の高さ方向に複数段（図示例は２段）に亘って配設される床板４の数だけ設けられている。
【００１８】
次に、その床板４は、足場メインフレーム１の長手方向に沿い、それの前端部と前記後部フレームの床板固定板３ａとの間に懸け渡すように、かつ高さ方向に複数段に亘って配設された短冊状の作業足場であって、図示例のような簀子板等を用いることが好ましい。この床板４は、足場フレーム１に対し、垂直面内で回転可能に軸支されており、この床板４が、該装置の炭化室Ｒ内へ装入され、または引出されるときは、直立姿勢を維持するように回転し、一方、作業モードのとき、作業者の足場を提供するために、水平姿勢を維持するように回転し、それぞれの姿勢、とくに後者の場合、図１に示すようなボルトを介して、前記床板固体板３ａに対し、ボルト５、５’を使って姿勢の固定ができるものである。
【００１９】
なお、足場フレーム１の下部は、必要に応じ、一以上の各種のスライダー６、７を取付けることが好ましい。これらのスライダー６、７の存在により、該足場メインフレーム１は、炭化室Ｒ内への装入、引出をスムースに行うことができるようになる。従って、これらのスライダー６、７は、炭化室の横幅よりも若干小さい、そして炭化室底壁よりも若干高い位置となるように取付けておくと、上記の装入、引出しの動作が円滑にできるようになる。
【００２０】
次に、かかる足場フレーム、即ち、本発明に係る炉壁れんが積替え・補修装置を、炭化室内に装入し、または引出す方法（操作）について説明する。このような操作は、図２〜図４に示すように、コークス炉炭化室Ｒ前に走行クレーン等を介して移動可能に配設される案内装置Ｇを利用する。この案内装置Ｇは、好ましくは、炭化室入口の両側に立設される一対のタワー状ガイド枠Ｇｔで構成し、これらのタワー状ガイド枠Ｇｔの間に該積替え・補修装置Ｆを挟持した状態に載置し保持する構造を基本とし、その他、図示例のように、２つの炭化室Ｒ内に該積替え・補修装置Ｆを装入、引出ができるような３連式のものとしてもよい。
【００２１】
そして、この案内装置Ｇは、タワー状ガイド枠Ｇｔの底部枠８上に、該積替え・補修装置Ｆを載置保持した状態から、これを炭化室Ｒ内に装入するために、図２および図３に示すように、クレーンＣで懸吊し、図４（ｂ）に示すように、装入時は室内に向って前傾斜の状態に保持して送り込み、そして装入後は、水平に戻すように構成される。
【００２２】
なお、この案内装置Ｇの底部枠８下には、電動ウインチ９が配設されており、この電動ウインチ９のワイヤ１０の遊端部が、この積替え・補修装置Ｆの底部後端に繋止してある。従って、本発明において、該積替え・補修装置Ｆは、この案内装置ＧをクレーンＣで懸吊して傾斜させると同時に、前記電動ウインチ９を作動させることにより、炭化室Ｒ内に送り込むことができて、そして、その引出し時には、単に電動ウインチ９を作動させることによって、所謂、装入−引出の操作が可能になる。
【００２３】
このようにして、炭化室Ｒ内への該積替え・補修装置Ｆの装入により、炉壁れんがの積替えのみならず、損傷が最も激しい炭化室入口付近の部分補修が、前端部の防熱板２の存在だけで、十分に可能になる。しかも、床板４や防熱板２の回転、転向による退避によって、該装置Ｆの装入、引出が容易であり、まわりを取囲む側壁や天井がないので、狭隘な場所での作業にもかかわらず、障害が少なく、作業能率が向上する。
【産業上の利用可能性】
【００２４】
本発明は、コークス炉炭化室の炉壁れんがの積替え作業や損傷した炉壁れんがの部分補修の他、狭隘な場所において各種の作業を行う場合の装置としての応用が考えられる。
【図面の簡単な説明】
【００２５】
【図１】本発明の積替え・補修装置の斜視図である。
【図２】炭化室への装入状態を示す積替え・補修装置の断面図である。
【図３】案内装置内に保持した状態の積替え・補修装置の正面図である。
【図４】積替え・補修装置を炭化室内へ装入する操作の説明図である。
【符号の説明】
【００２６】
Ｒ  炭化室
Ｆ  炉壁れんがの積替え・補修装置
Ｃ  クレーン
Ｇ  案内装置
Ｇｔ  タワー状ガイド枠
１  足場メインフレーム
２  防熱板
３  後部フレーム
４  案内板
５  固定ボルト
６、７  スライダー
８  案内装置の底部枠
９  電動ウインチ
１０  ワイヤ
【図１】
2008101109.tif 000003
【図２】
2008101109.tif 000004
【図３】
2008101109.tif 000005
【図４】
2008101109.tif 000006